(57)【要約】【課題】噴出ポンプ装置、またはそれを備える噴出器において、簡単な構成で十分なバックサクション効果を発揮し、噴口からの液垂れや、使用時における内容物の飛散を防止し、使用者の衣服を汚すなどの問題の発生を解消する。【解決手段】容器１０の口部１０ａに取り付け、使用時にスパウト２６を押し込んで容器の内容物を、ステム２１の噴出路２１ａを通してスパウトに備える嘴状の噴出管２６ｂの噴口２６ｆから噴出する、噴出器の噴出ポンプ装置Ｐにおいて、噴出路に、内容物を噴出するとき内容物の流れを受けて重力に抗して上昇し、噴出を止めたとき重力で下降する樹脂製の昇降部材２３を設ける。昇降部材は、ボール形状につくったり、噴出を止めたとき内容物の抵抗を受けて重力で下降しにくい形状につくったりする。【選択図】        図１
2004249195.tif 000002
【特許請求の範囲】
【請求項１】
容器の口部に取り付け、使用時にスパウトを押し込んで容器の内容物を、噴出路を通して前記スパウトに備える噴口から噴出する、噴出器の噴出ポンプ装置において、
前記噴出路に、内容物を噴出するとき内容物の流れを受けて重力に抗して上昇し、噴出を止めたとき重力で下降する樹脂製の昇降部材を設けることを特徴とする、噴出ポンプ装置。
【請求項２】
前記昇降部材をボール形状とすることを特徴とする、請求項１に記載の噴出ポンプ装置。
【請求項３】
前記昇降部材を、噴出を止めたとき内容物の抵抗を受けて重力で下降しにくい形状とすることを特徴とする、請求項１に記載の噴出ポンプ装置。
【請求項４】
請求項１ないし３のいずれか１に記載の噴出ポンプ装置を備えることを特徴とする、噴出器。
【発明の詳細な説明】
【０００１】
【発明の属する技術分野】
この発明は、容器の口部に取り付け、使用時にスパウトを押し込んで容器の内容物を、噴出路を通してスパウトに備える噴口から噴出する、化粧用・消毒用・洗浄用・薬用・塗装用などの噴出器に関する。および、そのような噴出器において、容器の口部に取り付けて容器の内容物を噴出する噴出ポンプ装置に関する。
【０００２】
【従来の技術】
従来、化粧用等の噴出器では、例えば、容器の口部に噴出ポンプ装置を取り付けてなり、使用時にその噴出ポンプ装置のスパウトを押し込んでステムを押し下げ、噴出ポンプ装置を作動して容器の内容物を吸い上げ、噴出路を通してスパウトに備える例えば嘴状の噴出管に設ける噴口から外部へと噴出していた。
【０００３】
ところで、このような噴出器では、使用を終えたとき噴出管先端の噴口まわりに内容物が残り、そのまま放置したとき噴口から液垂れを生じてまわりを汚したり、噴口付近に残った内容物が時間の経過とともに乾燥固化して噴口を狭め、次に使用するとき内容物を予期せぬ方向に、しかも勢いよく噴出して例えば使用者の衣服を汚すなどのトラブルを生じたりする問題があった。
【０００４】
【特許文献１】実開平７−７７５７号公報
よって、従来の噴出器の中には、このような問題を解消すべく、例えば特許文献１に記載されるように、下部ノズル形成体と上部ノズル形成体とを接合して下向き配置の噴口を形成し、加えて下部ノズル形成体に、自己閉鎖力により噴口を閉鎖する一方、内容物の噴出圧力により噴口を開く舌片状可撓弁を設けたものがある。
【０００５】
しかし、このような噴出器では、スパウトに、下部ノズル形成体と上部ノズル形成体と舌片状可撓弁を設けなければならないから、部品点数が多くなって、構造が複雑となり、製造組立てに手数がかかり、コスト高となる問題があった。
【０００６】
【特許文献２】特開２００２−４５７３６号公報
また、従来の噴出器の中には、例えば特許文献２に記載されるように、使用時にスパウトを押し込んで容器の内容物を、噴出路を通してスパウトに備える噴口から噴出するとき、内容物の流れを受けて重力に抗して上昇し、噴出を止めたとき重力で下降する昇降部材を設け、重力で下降するとき、噴口近くに残留する内容物を吸い込むバックサクションタイプのものがある。
【０００７】
これにより、そのまま放置したときに噴口から液垂れを生じたり、残留内容物が時間の経過とともに乾燥固化して、次の使用時にトラブルが発生したりすることを防止していた。
【０００８】
【発明が解決しようとする課題】
ところが、このようなバックサクションタイプの噴出器では、昇降部材を比較的重量があるステンレス製のボール弁でつくるから、内容物の粘性により噴出路中で上昇した昇降部材が降下する時間が大きくばらつき、例えば粘性が低い場合には噴出を止めたとき重力で直ちに下降し、噴口近くに残留する内容物を十分に吸い込むことができず、バックサクション効果を確実に発揮することができなかった。
【０００９】
そこで、この発明の目的は、噴出ポンプ装置、またはそれを備える噴出器において、簡単な構成でバックサクション効果を十分に発揮し、噴口からの液垂れや、使用時における内容物の飛散を防止し、使用者の衣服を汚すなどの問題の発生を解消することにある。
【００１０】
【課題を解決するための手段】
かかる目的を達成すべく、請求項１に記載の発明は、容器の口部に取り付け、使用時にスパウトを押し込んで容器の内容物を、噴出路を通してスパウトに備える噴口から噴出する、噴出器の噴出ポンプ装置において、
噴出路に、内容物を噴出するとき内容物の流れを受けて重力に抗して上昇し、噴出を止めたとき重力で下降する、ポリエチレン・ポリプロピレン等の樹脂製の昇降部材を設ける、ことを特徴とする。
【００１１】
請求項２に記載の発明は、請求項１に記載の噴出ポンプ装置において、昇降部材をボール形状とする、ことを特徴とする。
【００１２】
請求項３に記載の発明は、請求項１に記載の噴出ポンプ装置において、昇降部材を、噴出を止めたとき内容物の抵抗を受けて重力で下降しにくい形状とする、ことを特徴とする。
【００１３】
請求項４に記載の発明は、噴出器において、請求項１ないし３のいずれか１に記載の噴出ポンプ装置を備えてなる、ことを特徴とする。
【００１４】
【発明の実施の形態】
以下、図面を参照しつつ、この発明の実施の形態につき説明する。
図１には、この発明に係るシャンプー用噴出器の要部縦断面を示す。
【００１５】
図中符号１０は、容器である。容器１０は、プラスチック材料でボトル形状につくり、その口部１０ａ外周に雄ネジを設け、図示省略するが、この例では、内部に、内容物としてシャンプー液を収納する。
【００１６】
その容器１０の口部１０ａには、噴出ポンプ装置Ｐを取り付ける。
噴出ポンプ装置Ｐには、ネジキャップ１１を設ける。ネジキャップ１１は、内周に雌ネジを有するとともに、頂部１１ａ中央に中心孔１１ｂをあけてなる。そして、頂部１１ａをシリンダ１２のフランジ１２ａ上に乗せ、容器１０の口部１０ａに被せてネジ付けてなる。
【００１７】
シリンダ１２は、途中に三つの段部１２ｂ・１２ｃ・１２ｄを設けて図中下方に向け同心で順次小径につくる。
【００１８】
そのシリンダ１２の上部は、第１の段部１２ｂの外周に前記フランジ１２ａを設けるとともに、第２の段部１２ｃのすぐ上に径方向に貫通する空気吸込み孔１２ｅをあけ、ネジキャップ１１の中心孔１１ｂを通して上端部１２ｆを上向きに突出する。
【００１９】
他方、シリンダ１２の下部は、第３の段部１２ｄ位置の内部に、吸込口１２ｇと管取付口１２ｈを続けて設ける。そして、その管取付口１２ｈ内にパイプ１３の上端部を圧入し、そのパイプ１３内と吸込口１２ｇとを連通してなる。反対に、吸込口１２ｇのすぐ上には、下方に向けて漸次小径となる弁座１２ｉを続けて設ける。
【００２０】
このようなシリンダ１２内には、ボール状の逆止弁１９を入れて弁座１２ｉ上に乗せてから、コイルスプリング２０を挿入して第３の段部１２ｄ上に乗せる。その後、開閉弁２２を取り付けたステム２１を入れる。
【００２１】
ステム２１は、管状で、内部に、２つの段部ａ・ｂを設けて図中下方に向け同心で順次小径となる噴出路２１ａを設け、図２に示すように、その噴出路２１ａと連通して径方向に横孔２１ｂを設け、その横孔２１ｂ位置の外周に円周溝２１ｃを形成する。
【００２２】
一方、開閉弁２２は、円筒形状で、中間部に内面から内向きに突出して環状凸部２２ａを設ける。そして、その環状凸部２２ａを前記円周溝２１ｃ内にはめ付け、開閉弁２２の外周上下部をシリンダ１２の内周面に摺動自在に押し当ててなる。
【００２３】
さて、図１に示すように、ステム２１内には、ポリエチレン・ポリプロピレン等の樹脂製で、ボール形状につくった昇降部材２３を挿入し、噴出路２１ａの上段部ａ上に乗せて設ける。
【００２４】
ところで、シリンダ１２の上端には、カラーリング２５を設ける。そのカラーリング２５は、外筒部２５ａと内筒部２５ｂとを同心で一体に形成し、内筒部２５ｂの上部内周に雌ネジを設ける。そして、シリンダ１２内に内筒部２５ｂを入れて下端を前記開閉弁２２の上端に突き当て、ステム２１を介してコイルスプリング２０を少し圧縮するとともに、外筒部２５ａをシリンダ１２の上端部１２ｆに被せて掛け止めしてなる。
【００２５】
これにより、コイルスプリング２０の付勢力でステム２１を押し上げ、図２に示すように、円周溝２１ｃの下段部２１ｄを前記環状凸部２２ａの下面に押し当てて噴出路２１ａとシリンダ室２８間との連通を遮断する。
【００２６】
さて、図１に示すとおり、ステム２１は、カラーリング２５の内筒部２５ｂ内を通して外部に突出する。そのステム２１の上端には、スパウト２６を取り付ける。スパウト２６は、キャップ状の本体部２６ａの外周に噴出管２６ｂを嘴状に設けるとともに、本体部２６ａの内部中央に筒部２６ｃを下向きに設け、その筒部２６ｃと噴出管２６ｂ間を横長筒部２６ｄでつなぎ、筒部２６ｃの下端部から噴出管２６ｂ先端へ至る噴出通路２６ｅを内部に形成する。
【００２７】
そして、筒部２６ｃ内にステム２１の上端部を圧入し、噴出通路２６ｅと噴出路２１ａとを連通する。
【００２８】
いま、この噴出器を使用するとき、スパウト２６をコイルスプリング２０に抗して図１中矢印Ａ方向に押し込み、ステム２１をシリンダ１２内に押し下げる。すると、シリンダ１２内面との摩擦抵抗により開閉弁２２はそのままの位置でステム２１が動き、開閉弁２２の環状凸部２２ａの上面に円周溝２１ｃの上段部２１ｅを接触する。
【００２９】
そして、ステム２１の押し込みとともに、開閉弁２２を変形して横孔２１ｂを開き、シリンダ室２８と噴出路２１ａとを連通する一方、シリンダ室２８内の圧を高め、シリンダ室２８内のシャンプー液を横孔２１ｂを通して噴出路２１ａに送り出し、シャンプー液の流れを受けて重力に抗して昇降部材２３を上昇しながら、シャンプー液を昇降部材２３のまわりを通して噴出通路２６ｅに入れ、その噴出通路２６ｅを通して噴出管２６ｂ先端に設ける噴口２６ｆから外部へと噴出する。
【００３０】
そして、図３に示す押し下げ最終段階となったとき、スパウト２６から手を離して押し込みを解除すると、コイルスプリング２０でステム２１を図中矢印Ｂ方向へ押し上げる。そして、シリンダ１２内面との摩擦抵抗により開閉弁２２がそのままの位置でステム２１が動き、環状凸部２２ａの内面で横孔２１ｂを塞いで噴出路２１ａとシリンダ室２８間の連通を遮断する。そして、開閉弁２２の環状凸部２２ａの下面に円周溝２１ｃの下段部２１ｄを接触する。
【００３１】
それから、ステム２１と一緒に開閉弁２２をスライドし、図１の状態に復帰するとき、シリンダ室２８内を負圧化して逆止弁１９を開き、容器１０内のシャンプー液を吸込口１２ｇからシリンダ室２８内に吸い上げる。また、噴出を止めたとき、噴出路２１ａ内におけるシャンプー液の流れを止め、樹脂製の昇降部材２３を重力で下降して段部ａ上まで戻す。
【００３２】
これにより、噴口２６ｆ近くに残留するシャンプー液を吸い込み、噴口２６ｆから液垂れを生じたり、残留内容物が時間の経過とともに乾燥固化して噴口２６ｆを狭め、次の使用時にシャンプー液を予期せぬ方向に噴出して、例えば使用者の衣服を汚すなどのトラブルの発生を防止したりすることができる。
【００３３】
なお、このような噴出器は、運搬時の小型化を図るべく、コイルスプリング２０に抗してスパウト２６を図１中矢印Ａ方向に押し下げてステム２１をシリンダ１２内に完全に入れて後、スパウト２６を回転して筒部２６ｃ外周の雄ネジを内筒部２５ｂ内の雌ネジにネジ付け、図４に示すようにステム２１の動きをロックしてなる。
【００３４】
ところで、この発明によれば、従来ステンレス製であった昇降部材２３を樹脂製とするから、重量を軽くして内容物の粘性が低い場合にも昇降部材２３の戻りを遅くし、それだけ噴口２６ｆ近くに残留する内容物を十分に吸い込み、使用後に噴出管２６ｂの噴口２６ｆまわりに内容物が残留することを防ぎ、それが噴口２６ｆから垂れてまわりを汚したり、また時間の経過とともに乾燥固化して噴口２６ｆを狭め、次の使用時における内容物の飛散を防ぎ、使用者の衣服を汚すなどの問題の発生を防止したり、簡単な構成でバックサクション効果を十分に発揮することができる。
【００３５】
なお、昇降部材２３を、ボール形状に限らず、例えば図５（Ａ）に示すようにまゆ形状にしたり、（Ｂ）に示すように鍔２３ａを有する形状としたりし、噴出を止めたとき内容物の抵抗を受けて重力で下降しにくい形状とすると、より昇降部材２３の戻りを遅くし、それだけ噴口２６ｆ近くに残留する内容物を多く吸い込み、十分なバックサクション効果を発揮することができる。
【００３６】
【発明の効果】
以上説明したとおり、この発明によれば、噴出路に、内容物を噴出するとき内容物の流れを受けて重力に抗して上昇し、噴出を止めたとき重力で下降する樹脂製の昇降部材を設けるので、昇降部材の重量を軽くして内容物の粘性が低い場合にも昇降部材の戻りを遅くし、それだけ噴口近くに残留する内容物を十分に吸い込み、使用後に噴口まわりに内容物が残留することを防ぎ、噴口からの液垂れを防止したり、噴口付近に残留した内容物が時間の経過とともに乾燥固化して例えば噴口を狭め、次の使用時における内容物の飛散を防ぎ、使用者の衣服を汚すなどの問題の発生を防止したりし、簡単な構成で十分にバックサクション効果を発揮することができる。
【００３７】
請求項３に記載の発明によれば、昇降部材を、噴出を止めたとき内容物の抵抗を受けて重力で下降しにくい形状とするので、より昇降部材の戻りを遅くし、それだけ噴口近くに残留する内容物を多く吸い込み、十分なバックサクション効果を発揮することができる。
【００３８】
請求項４に記載の発明によれば、請求項１ないし３のいずれか１に記載の噴出ポンプ装置を備えるから、上記効果を有する噴出ポンプ装置を備えた噴出器を提供することができる。
【図面の簡単な説明】
【図１】この発明に係るシャンプー用噴出器の要部縦断面図である。
【図２】その部分拡大図である。
【図３】図１の噴出器におけるスパウトを押し込んだ状態の縦断面図である。
【図４】その噴出器の格納状態の縦断面図である。
【図５】上記シャンプー用噴出器に設ける昇降部材の他例の外観図であり、（Ａ）はまゆ形状、（Ｂ）は鍔を有する形状である。
【符号の説明】
１０    容器
１０ａ  容器の口部
２１    ステム
２１ａ  噴出路
２３    昇降部材
２６    スパウト
２６ｆ  噴口
Ｐ      噴出ポンプ装置
【図１】
2004249195.tif 000003
【図２】
2004249195.tif 000004
【図３】
2004249195.tif 000005
【図４】
2004249195.tif 000006
【図５】
2004249195.tif 000007